(57)【要約】      （修正有）【課題】面着してなかなか指で開けることの出来ない袋の開口部を開ける袋開口用具を提供する。【解決手段】Ｖ字形状外側端部にそれぞれ指押え部３，３′があり、Ｖ字形状内側挟み部２には、面着した袋の開口部を点又は線に近い状態で挟めるよう凸部接点がテーパー形状と共に設けられていることを特徴とする。【選択図】図１
0003151270.tif 000002
【実用新案登録請求の範囲】
【請求項１】
Ｖ字形状に構成された袋の開口用具であって、Ｖ字形状外側端部にそれぞれ指押さえ部があり、Ｖ字形状内側挟み部には、面着した袋の開口部を点又は線に近い状態で挟めるよう凸部接点がテーパー形状と共に設けられていることを特徴とする袋開口用具。
【請求項２】
伸縮摩耗抵抗性のあるエラストマー又はゴム系材料から形成されていることを特徴とする請求項１記載の袋開口用具。
【請求項３】
Ｖ字形状の折り返し部に引っかけ用穴が設けられていることを特徴とする請求項１記載の袋開口用具。
【考案の詳細な説明】
【技術分野】
【０００１】  本考案は、面着してなかなか指で開けることの出来ない袋の開口部を開ける袋開口用具に関する。
【背景技術】
【０００２】  従来、スーパーなどのレジ袋や生鮮食品や冷凍食品などを入れるための樹脂製フィルム袋があるが、これら袋の開口部はその製造工程上、袋の向かい合う面で樹脂フィルム同士が面着して製造、販売されて使用している。【０００３】  この問題点を解決するために、袋詰めの際に指先を濡らすために置いてあるおしぼりやふきん、スポンジなどに指先を押し当てて濡らしてから袋の開口部を指先でこすり合わせて開いていた。もちろん人によっては、指先を唾液で濡らして開口する場合もあった。【０００４】  一方で、樹脂製フィルム袋自体の製造過程において連続して形成されるロール状に巻かれた収容袋においては、ミシン目の突出部分の形状を頂部が尖った山形などに形成することで、開口部の一部が凸又は凹形状となるため、特に凸形状であればそのまま指先でこすり合わせることで開口部の面着が解けるものが提案されていた。
【先行技術文献】
【特許文献】
【０００５】
【特許文献１】  特許登録第３７４３８９０号公報
【考案の概要】
【考案が解決しようとする課題】
【０００６】  しかしながら、指先を濡らすためのおしぼりやふきん、スポンジなどは、他の人も使用するため、不衛生であると感じる人が多く、もちろん指先を舐めること自体に抵抗のある人が大変多かった。【０００７】  又、特許文献１のような収容袋巻装体は、予め袋を製造する工程でミシン目を入れる際の製造機械類を変更しなければならず、他のレジ袋や樹脂製フィルム袋へ応用しようにも、それぞれの製造機械を作り変えるという大変費用のかかるという問題点があった。
【課題を解決するための手段】
【０００８】  本考案の袋開口用具は、Ｖ字形状に構成された袋の開口用具であって、Ｖ字形状外側端部にそれぞれ指押さえ部があり、Ｖ字形状内側挟み部には、面着した袋の開口部を点又は線に近い状態で挟めるよう凸部接点がテーパー形状と共に設けられていることを特徴とする。【０００９】  又、伸縮摩耗抵抗性のあるエラストマー又はゴム系材料から形成されていることを特徴とする。【００１０】  更に、Ｖ字形状の折り返し部に引っかけ用穴が設けられていることを特徴とする。
【考案の効果】
【００１１】  本考案は、面着してなかなか指で開けることの出来ない袋の開口部を開けるためのＶ字形状に構成された袋開口用具であり、持ち運びも容易でコンパクトに使用出来るものとなる。【００１２】  又、Ｖ字形状内側挟み部には、面着した袋の開口部を点又は線に近い状態で挟めるよう凸部接点がテーパー形状と共に設けられているため、袋を挟んで前後左右に少し動かすだけで簡単に袋を開けることが出来るものとなる。【００１３】  又、伸縮摩耗抵抗性のあるエラストマー又はゴム系材料で出来ているため、柔らかで軽く、何回でも使用出来、更にはエラストマー樹脂製の場合は製造費用も安価に出来る。【００１４】  なお、本考案の袋開口用具のＶ字形状の折り返し部に引っかけ用穴が設けられていることで、その穴に買い物用エコバッグと伸縮する紐などで係留し、携帯出来るようにすれば、どこにいても使用出来る形態となって好ましい。
もちろん、買い物の精算後の袋詰め台に少し大きめの本考案の袋開口用具を、従来の濡らしたおしぼりやふきん、スポンジなどの代わりに置いておけば、指先を濡らさずに使用出来るものとなり、特に抗菌剤入りのゴム系材料から製造しておけば清潔に使用出来るものとなる。
【図面の簡単な説明】
【００１５】
【図１】  本考案の一実施例を示す側面図である。
【図２】  本考案の一実施例を示す側面図である。
【図３】  本考案の袋開口用具を使用した状態を示す斜視図である。
【考案を実施するための形態】
【００１６】  本考案における袋開口用具の大きさ、デザイン、材質、製造方法等は特に限定される事はないが、使用回数における耐摩耗性、生産性などの観点からエラストマー樹脂成型されることが好ましい。
以下、実施例と図に基づき説明する。
【実施例】
【００１７】  以下、本考案の一実施例を、図１、図２及び図３で説明するがこれによって本考案はなんら限定されるものではない。【００１８】  図１は本考案の一実施例を示し、袋開口用具（１）を側面から見た図である。
Ｖ字形状外側端部に指押さえ部（３）、（３’）が有り、例えばその部分を親指と人差し指で挟むように押して挟み部（２）で袋（７）の開口部（８）を挟む形となる。【００１９】  なおその際、図２のようにＶ字形状内側挟み部（２）には、面着した袋（７）の開口部（８）を点又は線に近い状態で挟めるよう凸部接点（５）がテーパー形状（４）と共に設けられているため、簡単に少ない力で袋（７）の開口部（８）を挟んで開けることが出来る。【００２０】  図３では、本考案の袋開口用具（１）が、実際に袋（７）の開口部（８）を挟んで前後左右に動かして開口している状態を示している。【００２１】  なお、本考案の袋開口用具（１）は、Ｖ字形状の折り返し部（９）に引っかけ用穴（６）が設けられているため、この穴に買い物用エコバッグなどに携帯するための伸縮性の有る紐状物で係留することが出来るものとなる。また携帯ストラップという形で提供しても良い。
もちろんスーパーなどの袋詰め台に、従来の指先を濡らして置いていたおしぼりやふきん、スポンジなどの代わりに盗難防止のために紐などでくくりつけておくことが出来る。
【産業上の利用の可能性】
【００２２】  面着して開けずらかったスーパーのレジ袋や生鮮食品や冷凍食品などを入れるための樹脂製フィルム袋の開口部を、指先を濡らすためのおしぼりやふきん、スポンジなどを使用することなく衛生的に開口出来る優れた用具となる。
又、従来有る樹脂製フィルム袋のミシン目などを凸形状などに変更する必要もないため、コスト的にも非常に優れたものとなる。
更に、エコバッグなどへの携帯や袋詰め台での盗難防止用の引っかけ用穴も設けられているため、携帯に便利で盗難防止も出来るものとなる。
【符号の説明】
【００２３】１  袋開口用具    ２  挟み部    ３、３’  指押さえ部    ４  テーパー形状
５  凸部接点      ６  引っかけ用穴      ７  袋      ８  開口部
９  折り返し部
【図１】
0003151270.tif 000003
【図２】
0003151270.tif 000004
【図３】
0003151270.tif 000005